(57)【要約】  本発明は、ディスプレイ（１０４）を含む第一の部分（１０１）と、少なくとも２つの面及びこれら少なくとも２つの面の少なくとも一面上に配置されたキーボード（１０３）を有する第二の部分（１０２）とを有する電子携帯機器に関する。機能的なマルチメディア携帯機器とするために、本電子機器は、第二の部分が第一の部分に沿って平行移動できるようにする平行移動手段と、第二の部分が第一の部分周りに回転できるようにする回転手段とを有する。これら平行移動手段及び回転手段により、本電子機器は、多くの機能位置を有し、例えば、携帯電話、携帯インターネット機器、テレビ会議システムの一部、ゲーム機、などとして用いることができる。
2005510918.tif 000002
【特許請求の範囲】
【請求項１】
ディスプレイを含む第一の部分と、少なくとも２つの面及びこれら少なくとも２つの面の少なくとも一面上に配置されたキーボードを有する第二の部分とを少なくとも有し、該第二の部分は前記第一の部分と接続されている、電子携帯機器であって、
前記第二の部分が前記第一の部分に沿って平行移動できるようにする平行移動手段と、
前記第二の部分が前記第一の部分周りに回転できるようにする回転手段と、を有することを特徴とする電子携帯機器。
【請求項２】
請求項１記載の電子携帯機器であって、
前記平行移動手段は、スライダがそれに沿ってスライド可能な少なくとも１つのスロットを有し、
前記回転手段は、前記スライダがそれ周りに回転可能な少なくとも１つの回転軸を有し、
前記スロット及び前記回転軸は、前記第一の部分又は前記第二の部分のいずれか一方に属し、前記スライダは他方に属する、ことを特徴とする電子携帯機器。
【請求項３】
請求項１記載の電子携帯機器であって、
前記ディスプレイはタッチスクリーンである、ことを特徴とする電子携帯機器。
【請求項４】
請求項１記載の電子携帯機器であって、
前記第一の部分又は前記第二の部分のいずれか一方はブルートゥースタイプのエミッタを有し、他方はブルートゥースタイプのレセプタを有する、ことを特徴とする電子携帯機器。
【請求項５】
請求項１記載の電子携帯機器であって、
前記第二の部分の前記第一の部分に対する位置を検出する手段と、
前記検出された位置に従って本電子携帯機器の機能を使用可能にする手段とを更に有する、ことを特徴とする電子携帯機器。
【請求項６】
請求項１記載の電子携帯機器であって、
前記少なくとも２つの面のうちキーボードがない一面上に少なくとも１つのボタンを更に有する、ことを特徴とする電子携帯機器。
【請求項７】
請求項１記載の電子携帯機器であって、
前記第一の部分及び前記第二の部分のうち少なくとも一方は少なくとも１つのカメラを有する、ことを特徴とする電子携帯機器。
【請求項８】
請求項１記載の電子携帯機器であって、
前記第一の部分及び前記第二の部分のうち少なくとも一方はカードを受け入れるための少なくとも１つの開口部を有する、ことを特徴とする電子携帯機器。
【発明の詳細な説明】
【発明の詳細な説明】
【０００１】
（発明の分野）
本発明は、ディスプレイを含む第一の部分と、少なくとも２つの面及びこれら少なくとも２つの面の少なくとも一面上に配置されたキーボードを有する第二の部分とを少なくとも有し、該第二の部分は上記第一の部分と接続されている、電子携帯機器に関する。本発明は、特に、第三世代携帯電話に関連する。
【０００２】
（発明の背景）
このような電子機器は、リファレンスＲ３８０としてエリクソン社から販売されている。この機器は、携帯電話、カレンダ、住所録、及び、電子メール及びＷＡＰを備えた携帯インターネット機器、としての機能を一体化したものである。携帯インターネット機器の機能を提供するために、エリクソンＲ３８０機器は、大きなスクリーンを有する。しかし、携帯電話の機能を提供するためには、この機器は、閉じた状態で上記大きなスクリーンの所定の第一のエリアを覆うフリップと、キーボードとを有する。フリップが閉じているとき、本機器は、小さいスクリーンを備えた携帯電話のように見える。この場合の小さいスクリーンとは、上記大きなスクリーンの所定の第二のエリアである。しかしながら、回転手段を用いてフリップが開かれると、本機器は大きなスクリーンを有し、例えば携帯インターネット機器として用いることができる。このような電子携帯機器の欠点は、機能位置（ｆｕｎｃｔｉｏｎａｌ  ｐｏｓｉｔｉｏｎ）が２つしかなく、機器に一体化できる機能数が少ないことである。
【０００３】
（発明の開示）
本発明の目的は、機能位置を３以上有する電子携帯機器を提供し、それにより複数の機能を一体化することである。
【０００４】
このために、冒頭段落に記載した電子携帯機器は、本発明に従って、第二の部分が第一の部分に沿って平行移動できるようにする平行移動手段と、第二の部分が第一の部分周りに回転できるようにする回転手段とを有する、という点で特徴付けられる。
【０００５】
本発明によれば、本機器の第二の部分は、従来の機器よりも多くの自由度を有する。たとえば、本機器が携帯インターネット機器として用いられるとき、第二の部分は大きなディスプレイを有する第一の部分の背後に配置することができる。したがって、そのような状況では、本電子携帯機器は従来機器よりコンパクトである。
【０００６】
好ましい実施形態において、平行移動手段は、スライダがそれに沿ってスライド可能な少なくとも１つのスロットを有し、回転手段は、スライダがそれ周りに回転可能な少なくとも１つの回転軸を有し、スロット及び回転軸は、第一の部分又は第二の部分のいずれか一方に属し、スライダは他方に属する。この実施形態によれば、回転手段及び平行移動手段は製造が容易である。実際、例えば従来の携帯機器とは異なり、ヒンジを省くことができる。
【０００７】
第一の実施形態において、ディスプレイはタッチスクリーンである。この実施形態によれば、第一の部分と第二の部分の間を電気的に接続しないことが可能となるため、特に製造が容易な電子機器が得られる。
【０００８】
第二の実施形態において、第一の部分又は第二の部分のいずれか一方はブルートゥースタイプのエミッタを有し、他方はブルートゥースタイプのレセプタを有する。この実施形態によれば、第一の部分と第二の部分の間を電気的に接続しないことが可能となる。実際、第一の部分と第二の部分との間のデータ交換は電磁波によって実現される。
【０００９】
第三の実施形態において、本発明に係る電子機器は、第二の部分の第一の部分に対する位置を検出する手段と、検出された位置に従って本電子携帯機器の機能を使用可能にする手段とを更に有する。この実施形態によれば、ディスプレイは、第二の部分の位置に従って情報を表示することができる。例えば、第二の部分の位置が本電子機器が携帯電話として用いられている場合の位置である場合、ディスプレイのうちユーザに見えるエリア上のみに情報を表示することができる。
【００１０】
第四の実施形態において、本発明に係る電子携帯機器は、少なくとも２つの面のうちキーボードがない一面上に少なくとも１つのボタンを更に有する。この実施形態によれば、本電子機器を多くの可能性とたくさんの快適さをユーザに提供するゲーム機として用いることができる。
【００１１】
第五の実施形態において、第一の部分及び第二の部分のうち少なくとも一方は少なくとも１つのカメラを有する。この実施形態によれば、本電子機器を例えばテレビ会議システムの一部として用いることができる。
【００１２】
第六の実施形態において、第一の部分及び第二の部分のうち少なくとも一方はカードを受け入れるための少なくとも１つの開口部を有する。この実施形態によれば、本電子機器はメモリ・カード又はＳＩＭカードを受け入れることができる。これらカードは、第二の部分が特定の位置にあるとき（例えば、本電子機器が携帯電話として用いられているとき）、保護される。
【００１３】
本発明の上記及び他の態様は、以下に述べる実施形態を参照して明らかにされる。
【００１４】
本発明を、添付図面を参照して、例示的に、詳述する。
【００１５】
本発明に係る電子携帯機器を図１に示す。このような機器は、ディスプレイ１０４、マイク１０８、及び、イヤホン１０９を有する第一の部分１０１と、キーボード１０３を有する第二の部分１０２とを有する。キーボード１０３は、例えば、英数字ボタン１０３ａと、方向矢印１０３ｂとを有する。第一の部分１０１は、カメラ１０５を含むことができる。
【００１６】
図１に示したような構成において、電子機器は携帯電話として用いられる。よって、図１は、本発明に係る電子機器の第一の機能位置を示す。ボタン１０３ａにより、ユーザは、例えば、電話番号をダイヤルしたり、電話帳に名前を入力したりすることができる。方向矢印１０３ｂにより、ユーザは、例えば、電話帳をナビゲートすることができる。発呼ユーザの電話番号などの本機器を携帯電話として使用するのに必要な情報は、ユーザが見ることができるディスプレイ１０４のエリア１０４ａに表示される。図１において、ディスプレイ１０４のうちユーザに見えないエリアは、破線で表されている。これは、この構成において、このエリアが第二の部分１０２の背後にあることを意味する。
【００１７】
ディスプレイ１０４は、タッチスクリーンでもよい。このような状況では、第一の部分１０１と第二の部分１０２との間に電気的接続は一切必要無い。実際には、ユーザがボタン１０３ａ又は方向矢印１０３ｂを押して発呼などの動作を開始するとき、このボタン１０３ａ又は方向矢印１０３ｂの下のディスプレイ１０４に配置されたセンサがこの動作を認識する。このようなタッチスクリーンは当業者には既知である（例えば、「背景技術」において引用した電子機器はこのようなタッチスクリーンを用いている）ため、これ以上詳しい説明は省略する。このようなタッチスクリーンが用いられる場合、本電子機器は特に製造しやすい。なぜなら、第二の部分１０２が何らの電子部品も含まないからである。
【００１８】
本電子機器は、更に、ブルートゥースタイプのシステムを含むこともできる。この「ブルートゥースタイプのシステム」という表現は、第一の部分と第二の部分の間のデータ交換が電磁気によって実現される、すなわちワイヤレスである、ことを意味する。このようなブルートゥースタイプのシステムは、当業者には既知である（例えば、「Ｔｈｅ  Ｂｌｕｅｔｏｏｔｈ  Ｓｐｅｃｉａｌ  Ｉｎｔｅｒｅｓｔ  Ｇｒｏｕｐ（ＳＩＧ）」と呼ばれる企業グループによって開発されたブルートゥース・システム）ため、これ以上詳しい説明は省略する。図１において、第一の部分１０１は、ブルートゥースタイプのレセプタ１０６を有し、第二の部分１０２はブルートゥースタイプのエミッタ１０７を有する。このようなブルートゥースタイプのシステムが用いられる場合、第一の部分１０１と第二の部分１０２の間に電気的接続が設けられる必要は無いため、本電子機器は特に製造しやすい。
【００１９】
ここで重要なことは、本発明に係る電子機器は、タッチスクリーンと、ブルートゥースタイプのシステムと、場合によっては第一の部分１０１と第二の部分１０２の間の電気的接続とを有することもできるし、これら特徴のうちの１又は２のみを有することもできる、点である。
【００２０】
更に注意すべき点として、第二の部分１０２は、例えばキーボード１０３とは反対の面上に、少なくとも１つの別のキーボードを有してもよい。このような状況では、ブルートゥースタイプのシステム又は第一の部分１０１と第二の部分１０２の間の電気的接続が必要である。
【００２１】
図２ａ〜２ｄは、第一の部分１０１及び第二の部分１０２の側面図及び断面図であり、本発明の好ましい実施形態に係る回転手段及び平行移動手段を提示している。
【００２２】
図２ａ及び２ｂは、それぞれ、本電子機器の第一の部分１０１の側面図、及び、ラインＩＩａ−ＩＩａで切った断面図、である。第一の部分１０１は、２つのスロット２０１と、２つの回転軸２０２とを有する。
【００２３】
図２ｃ及び２ｄは、それぞれ、本電子機器の第二の部分１０２の側面図、及び、ラインＩＩｃ−ＩＩｃで切った断面図、である。第一の部分１０２は、２つのスライダ２０３を有する。図２ｃにおいて、スライダ２０３は破線で表されている。これは、スライダ２０３が、図２ｄから明らかなように、第二の部分の側面の背後にあることを意味する。スライダ２０３は、スロット２０１に沿ってスライドすることが可能であると共に、回転軸２０２周りに回転することが可能である。このような回転及び平行移動を後続の図に示す。そこには本発明に係る電子機器が取り得る様々な位置が示されている。
【００２４】
図３は、第二の部分１０２の第一の部分１０１に沿った第一の平行移動を示す。２つのスライダ２０３はスロット２０１に沿ってスライドし、その結果、第二の部分１０２は本電子機器の第一の部分１０１に沿って平行移動する。この図から明らかなように、第二の部分１０２は、これまでの図では見えなかった穴２０４を有する。この穴２０４は、本発明に係る電子機器が携帯電話として用いられるときにユーザがマイク１０８を通じて話すことができるようにするためのものである。
【００２５】
図４は、本発明に係る電子機器の第二に機能位置を示す。この位置は、第二の部分１０２が第一の部分１０１に沿って最大限平行移動したところに対応する。回転軸２０２は、図４に破線で示した拡大エリアから分かるように、スライダ２０３に対するストッパとなる。
【００２６】
本電子機器のこのような位置において、ユーザはディスプレイ１０の全体を見ることができる。よって、本電子機器は、例えば携帯インターネット機器として、用いることができる。例えば、ユーザは、ボタン１０３ａにより英数字をダイヤルすることによって電子メールを書くことができる。電子メールはディスプレイ１０４上に表示される。
【００２７】
図５は、本発明に係る電子機器の第三の機能位置を示す。この位置は、第二の部分１０２の第一の部分１０１周りの第一の回転に対応する。図５に破線で示した拡大エリアから分かるように、スライダ２０３は回転軸２０２周りに回転し、その結果、第二の部分１０２は本電子機器の第一の部分１０１周りに回転する。
【００２８】
本電子機器のこのような位置において、本発明に係る電子機器は、テレビ会議システムの一部として用いることができる。実際には、ユーザは、この第三の機能位置にある本電子機器を自身の前に置き、遠隔地のユーザと通信する。遠隔地のユーザはカメラ１０５によりユーザを見ることができる。遠隔地のユーザが自身の前にカメラを有していれば、ユーザはディスプレイ１０４上に遠隔地のユーザを見ることができる。さらに、ユーザは、テレビ会議中、キーボード１０３をダイヤルして文字情報を遠隔地のユーザへ送ることもできる。
【００２９】
図６は、本発明に係る電子機器の第二の部分１０２の第一の部分１０１周りの第二の回転を示す。これまでの図では見えなかった開口部６０１がこの図から明らかとなる。この開口部６０１は、ＳＩＭカードやメモリ・カードなどのカードを受け入れるためのものである。本電子機器が例えば図１の設定のように携帯電話として用いることができる設定状態のときに、開口部６０１及びこの開口部６０１に挿入されているかもしれないカードは第二の部分１０２によってほこりや湿気などから保護されている。さらに、このような設定状態において、カードは開口部６０１から取り除くことができないため、例えばＳＩＭカードが通信中に偶然にも取り除かれてしまうなどの通信を停止させ得る状況の発生が防止される。
【００３０】
図７は、本発明の係る電子機器の第四の機能位置を示す。この設定において、本電子機器は、例えばゲーム機や携帯インターネット機器として用いることができる。これまでの図では見えなかった第一及び第二のボタン７０１及び７０２がこの図から明らかとなる。これらボタン７０１及び７０２は、この設定において第一の部分１０１の背後に置かれたキーボード１０３と共に、ゲームで遊ぶのに用いることができる。本電子機器がこの第四の機能位置にあるときにキーボード１０３がゲームを遊ぶのに用いられる場合、ブルートゥースタイプのシステム又は第一の部分１０１と第二の部分１０２の間の電気的接続が必要である。
【００３１】
ここで注意すべき点として、ディスプレイ１０４がタッチスクリーンの場合、ユーザは、本電子機器の位置とは関係なく、例えば指又はスタイラス（ｓｔｙｌｕｓ）を用いて、ディスプレイ１０４上で直接ダイヤルすることができる。更に注意すべき点として、本発明に係る電子機器は、カメラ１０５により、本電子機器の位置とは関係なく、カメラ又はカムコーダとして用いることができる。このような場合、第一のボタン７０１又は第二のボタン７０２は、カメラ用シャッタ・リリースとして用いることができる。
【００３２】
図８ａ〜８ｄは、本発明に係る電子機器の第一の部分１０１に対する第二の部分１０２の位置を検出するための手段を示す。これらの図に示した第一の部分１０１及び第二の部分１０２の様々な図は、図２ａ〜２ｄに示したものと同じである。ただし、図８ｂに示す断面は、ラインＩＩａ−ＩＩａとは異なるラインＶＩＩＩ−ＶＩＩＩで切ったものである。
【００３３】
図８ｃ及び８ｄから明らかなように、第二の部分１０２は、１グループのコンタクト・スタッド８０１を有する。図８ａ及び８ｂから明らかなように、第一の部分１０１は、第一のグループのコンタクト・ホール８０２と、第二のグループのコンタクト・ホール８０３と、第三のコンタクト・ホール８０４と、第四のコンタクト・ホール８０５とを有する。
【００３４】
本電子機器が図１に示す位置（「携帯電話ポジション」と呼ぶ）にあるとき、１グループのコンタクト・スタッド８０１は第一のグループのコンタクト・ホール８０２と接触する。本電子機器が図４に示す位置（「携帯インターネット機器ポジション」と呼ぶ）にあるとき、１グループのコンタクト・スタッド８０１は第二のグループのコンタクト・ホール８０３と接触する。本電子機器が図５に示す位置（「テレビ会議ポジション」と呼ぶ）にあるとき、１グループのコンタクト・スタッド８０１は第三のグループのコンタクト・ホール８０４と接触する。本電子機器が図７に示す位置（「ゲーム・ポジション」と呼ぶ）にあるとき、１グループのコンタクト・スタッド８０１は第四のグループのコンタクト・ホール８０５と接触する。
【００３５】
タッチスクリーン又はブルートゥースタイプのシステムが用いられ、第一の部分１０１と第二の部分１０２の間に電気的接続が全く無い場合、上記コンタクト・スタッドを磁石とすることができる。各コンタクト・ホールの背後に配置された磁気センサが磁石によって作成された磁場を検出することにより、いずれのグループのコンタクト・ホールが１グループのコンタクト・スタッド８０１と接触したのかを検出し、本機器がいずれのポジションにあるのかを検出することができる。
【００３６】
第一の部分１０１と第二の部分１０２の間に電気的接続が必要な場合、コンタクト・スタッド及びコンタクト・ホールを電気的接続として用いることができる。本電子機器が１グループのコンタクト・ホールにおいて電流を検出したとき、本電子機器は該機器がいずれのポジションにあるのかを検出することができる。
【００３７】
ポジションが検出されると、本電子機器は該ポジションに従って設定される。例えば、「携帯電話ポジションが検出された」とき、本電子機器はディスプレイ１０４のうちユーザに見えるエリア１０４ａのみに情報を表示する。それでもやはり、ここで重要な点は、ユーザが本電子機器を設定できるようにするために、ユーザが選択できるようにしてもよい。例えば、「ゲーム・ポジション」が検出されたとき、本電子機器はゲームで遊べるように設定される。しかし、ユーザは本機器を携帯インターネット装置として使用したいかもしれず、本機器を携帯インターネット機器として設定する可能性を有する。
【００３８】
さらに、コンタクト・スタッド及びコンタクト・ホールは、本電子機器を特定のポジションに固定するための機械的ブロック・システムとして用いることができる。
【００３９】
ここで注意すべき点は、第二の部分１０２は、この第二の部分を変えるために、第一の部分１０１から取り外すことが可能でもよいことである。例えば、第二の部分１０２の色を変えてもよく、或いは、使用するキーボードの種類を変えてもよい。
【００４０】
更に注意すべき点として、上記４つの機能位置以外の機能位置も、本発明の範囲を逸脱することなく、本発明に係る電子機器を用いて得られる。
【図面の簡単な説明】
【００４１】
【図１】本発明に係る電子携帯機器を示す図である。
【図２ａ】図１の電子機器の第一の部分の側面図である。
【図２ｂ】図２ａのラインＩＩａ−ＩＩａで切った第一の部分の断面図である。
【図２ｃ】図１の電子機器の第二の部分の側面図である。
【図２ｄ】図２ｃのラインＩＩｃ−ＩＩｃで切った第二の部分の断面図である。
【図３】図１の電子機器の第一の部分に沿った第二の部分の平行移動を示す図である。
【図４】図１の電子機器を例えば携帯インターネット機器として使うことを可能にする第二の部分の位置を示す図である。
【図５】図１の携帯機器の第一の部分周りでの第二の部分の回転を示す図である。
【図６】図１の携帯機器の第一の部分周りでの第二の部分の別の回転を示す図である。
【図７】図１の電子機器を例えばゲーム機として使うことを可能にする第二の部分の位置を示す図である。
【図８ａ】図１の電子機器の第一の部分に対する第二の部分の位置を検出する手段を示す図である。
【図８ｂ】図１の電子機器の第一の部分に対する第二の部分の位置を検出する手段を示す図である。
【図８ｃ】図１の電子機器の第一の部分に対する第二の部分の位置を検出する手段を示す図である。
【図８ｄ】図１の電子機器の第一の部分に対する第二の部分の位置を検出する手段を示す図である。
【図１】
2005510918.tif 000003
【図２ａ】
2005510918.tif 000004
【図２ｂ】
2005510918.tif 000005
【図２ｃ】
2005510918.tif 000006
【図２ｄ】
2005510918.tif 000007
【図３】
2005510918.tif 000008
【図４】
2005510918.tif 000009
【図５】
2005510918.tif 000010
【図６】
2005510918.tif 000011
【図７】
2005510918.tif 000012
【図８ａ】
2005510918.tif 000013
【図８ｂ】
2005510918.tif 000014
【図８ｃ】
2005510918.tif 000015
【図８ｄ】
2005510918.tif 000016
【手続補正書】
【提出日】平成16年5月28日(2004.5.28)
【手続補正１】
【補正対象書類名】特許請求の範囲
【補正対象項目名】全文
【補正方法】変更
【補正の内容】
【特許請求の範囲】
【請求項１】
ディスプレイを含む第一の部分と、少なくとも２つの面とこれら少なくとも２つの面の少なくとも一面上にキーボードとを有する第二の部分とを少なくとも有し、該第二の部分は前記第一の部分と接続されている、電子携帯機器であって、
前記第二の部分が前記第一の部分に沿って平行移動できるようにする平行移動手段と、
前記第二の部分が前記第一の部分周りに回転できるようにする回転手段と、を有することを特徴とする電子携帯機器。
【請求項２】
請求項１記載の電子携帯機器であって、
前記平行移動手段は、スライダがそれに沿ってスライド可能な少なくとも１つのスロットを有し、
前記回転手段は、前記スライダがそれ周りに回転可能な少なくとも１つの回転軸を有し、
前記スロット及び前記回転軸は、前記第一の部分又は前記第二の部分のいずれか一方に属し、前記スライダは他方に属する、ことを特徴とする電子携帯機器。
【請求項３】
請求項１記載の電子携帯機器であって、
前記ディスプレイはタッチスクリーンである、ことを特徴とする電子携帯機器。
【請求項４】
請求項１記載の電子携帯機器であって、
前記第一の部分又は前記第二の部分のいずれか一方はブルートゥースタイプのエミッタを有し、他方はブルートゥースタイプのレセプタを有する、ことを特徴とする電子携帯機器。
【請求項５】
請求項１記載の電子携帯機器であって、
前記第二の部分の前記第一の部分に対する位置を検出する手段と、
前記検出された位置に従って本電子携帯機器の機能を使用可能にする手段とを更に有する、ことを特徴とする電子携帯機器。
【国際調査報告】
2005510918.tif 000017
2005510918.tif 000018
2005510918.tif 000019